(57)【要約】【課題】本発明は上書きマーク認識装置に関し、上書きマークの有無を精度よく判定することができる上書きマーク認識装置を提供することができる。【解決手段】雛形帳票画像の各選択項目欄の情報を登録する雛形帳票登録部２と、該雛形帳票登録部２の出力を受けて、雛形帳票画像と上書きマーク記入帳票画像のマッチングを行ない、罫線除去画像を作成する帳票照合・罫線除去部３と、該帳票照合・罫線除去部３の出力を受けて各選択項目欄のタイプの判定を行なう選択項目欄タイプ判定部４と、該選択項目欄タイプ判定部４の出力を受けて、判定されたタイプに適した処理を選択して上書きマーク有無判定用画像を作成する上書きマーク判定用画像作成部５と、該上書きマーク判定用画像作成部で作成された画像を使用し、かつ、判定されたタイプに適した方法で上書きマークの有無を判定する上書きマーク判定部６とを有して構成する。【選択図】　　　図１
2004078391.tif 000002
【特許請求の範囲】
【請求項１】
アンケートや各種申込み帳票にある選択項目欄に記入された上書きマークの有無を自動的に判定する上書きマーク認識装置において、
雛形帳票画像の各選択項目欄の情報を登録する雛形帳票登録部と、
該雛形帳票登録部の出力を受けて、この雛形帳票画像と入力された上書きマーク記入帳票画像のマッチングを行ない、罫線除去画像を作成する帳票照合・罫線除去部と、
該帳票照合・罫線除去部の出力を受けて各選択項目欄のタイプの判定を行なう選択項目欄タイプ判定部と、
該選択項目欄タイプ判定部の出力を受けて、判定されたタイプに適した処理を選択して上書きマーク有無判定用画像を作成する上書きマーク判定用画像作成部と、
該上書きマーク判定用画像作成部で作成された画像を使用し、かつ、判定されたタイプに適した方法で上書きマークの有無を判定する上書きマーク判定部と、を有することを特徴とする上書きマーク認識装置。
【請求項２】
前記雛形帳票画像の各選択項目欄の、上書きマーク領域内の中心部分をマスクして、周辺部分のオイラー数を計算し、オイラー数が閾値以上の場合は、点線なぞり型の選択項目欄と判定することを特徴とする請求項１記載の上書きマーク認識装置。
【請求項３】
前記帳票照合・罫線除去部の出力である雛形帳票罫線除去画像の各選択項目欄の、上書きマーク領域における縦、及び横の最大線密度を算出し、線密度が閾値以上の場合はチェック型印字有型、閾値以下の場合にはチェック型印字無型、又は塗り潰し型の選択項目欄とすることを特徴とする請求項１記載の上書きマーク認識装置。
【請求項４】
選択項目欄がチェック型印字無型、又は塗り潰し型と判定された場合には、上書きマーク記入帳票画像の罫線除去画像の対応領域を上書きマーク判定用画像としてそのまま出力し、
選択項目欄がチェック型印字有型又は塗り潰し型と判定された場合には、雛形帳票罫線除去画像と上書きマーク記入帳票罫線除去画像の重ね合わせによって上書きマーク記入画像の罫線除去画像から、プレプリント文字の削除処理を行ない、
その結果、得られた画像を上書きマーク判定用画像として出力する上書きマーク判定用画像作成部を有することを特徴とする請求項１記載の上書きマーク認識装置。
【請求項５】
前記チェック型及び塗り潰し型の選択項目欄に対しては、上書きマーク判定用画像の黒画素密度が閾値以上の場合には上書きマーク有りと判定し、点線なぞり型に対してはマーク記入領域の中心部をマスクした残りの部分の、雛形帳票画像に対する上書きマーク判定用画像のオイラー数の変化が閾値以下の場合には、上書きマーク有りと判定する上書きマーク判定部を有することを特徴とする請求項１記載の上書きマーク認識装置。
【発明の詳細な説明】
【０００１】
【発明の属する技術分野】
本発明は上書きマーク認識装置に関し、更に詳しくは上書きマークの記入されたアンケート葉書や各種書類をスキャナ等で入力し、登録された雛形画像（未記入のアンケート葉書や各種書類の画像）と選択項目欄領域情報を手がかりに、認識対象帳票画像の選択項目欄における上書きマークの有無を判定する上書きマーク認識装置に関する。
【０００２】
【従来の技術】
先ず、選択項目欄タイプの分類を図８に示す。選択項目欄は、先ず記入する上書きマークのタイプによって、チェック型、塗り潰し型、点線なぞり型の３種類に分類され、チェック型は更に上書きマーク記入領域内に印字があるか否かで、印字有型と印字無型に分類される。図８の（ａ）はチェック型印字無型、（ｂ）はチェック型印字有型、（ｃ）は塗り潰し型、（ｄ）は点線なぞり型である。
【０００３】
従来の手法は、上書きマーク有無判定用画像の作成も、上書きマーク有無判定法も、選択項目欄のタイプに関わらず同一手法を用いている。図９は各画像例を示す図である。（ａ）は雛形帳票画像、（ｂ）は雛形帳票罫線除去画像、（ｃ）は上書きマーク記入帳票画像、（ｄ）は上書きマーク記入帳票罫線除去画像をそれぞれ示している。
【０００４】
図９に示すように、先ず雛形帳票画像と上書きマーク記入のマッチングが行なわれ、表の罫線部分が除去される。次に、雛形帳票画像の黒画素部分と重なった部分と、多少のずれも考慮して、その周辺部分の上書きマーク記入帳票の黒画素を、プレプリント文字として見なして削除する。そして、残った部分を上書きパターンと見なす。例えば、１マーク領域の画素数に占める上書きパターンの黒画素数の割合で、上書きマークの有無を判定している。
【０００５】
【発明が解決しようとする課題】
このため、点線なぞり型では、プレプリントと一緒に、上書きマーク部分が削除されてしまい、上書きマーク有りが無しと誤判定されてしまったり、また、逆に、プレプリント文字のないチェック型印字無型や塗り潰し型では、プレプリント文字の削除処理が無駄になってしまい、処理時間が余分にかかってしまうという問題がある。
【０００６】
本発明はこのような課題に鑑みてなされたものであって、上書きマークの有無を精度よく判定することができる上書きマーク認識装置を提供することを目的としている。
【０００７】
【課題を解決するための手段】
（１）図１は本発明の原理ブロック図である。図に示す装置は、アンケートや各種申込み帳票にある選択項目欄に記入された上書きマークの有無を自動的に判定する上書きマーク認識装置を構成している。図において、１は画像を入力する画像入力部である。該画像入力部１としては、例えばスキャナが用いられる。２は雛形帳票画像の各選択項目欄の情報を予め画像入力部１から取り込んで登録しておく雛形帳票登録部、３は前記画像入力部１及び該雛形帳票登録部２の出力を受けて、雛形帳票画像と上書きマーク記入帳票画像のマッチングを行ない、罫線除去画像を作成する帳票照合・罫線除去部、４は該帳票照合・罫線除去部３の出力を受けて各選択項目欄のタイプの判定を行なう選択項目欄タイプ判定部である。
【０００８】
５は該選択項目欄タイプ判定部４の出力を受けて、判定されたタイプに適した処理を選択して上書きマーク有無判定用画像を作成する上書きマーク判定用画像作成部、６は該上書きマーク判定用画像作成部５で作成された画像を使用し、かつ、判定されたタイプに適した方法で上書きマークの有無を判定する上書きマーク判定部である。
【０００９】
このように構成すれば、選択項目欄タイプ判定部４で選択項目欄タイプを判定し、判定した選択項目欄タイプに応じた処理により上書きマーク判定用画像作成部５により上書きマーク有無判定用画像を作成し、当該画像に対して上書きマーク判定部６により上書きマークの判定を行なうことにより、上書きマークの有無を精度よく判定することができる。
（２）請求項２記載の発明は、前記雛形帳票画像の各選択項目欄の、上書きマーク領域内の中心部分をマスクして、周辺部分のオイラー数を計算し、オイラー数が閾値以上の場合は、点線なぞり型の選択項目欄と判定することを特徴とする。
【００１０】
このように構成すれば、選択項目欄タイプの内の点線なぞり型の選択項目欄を判定することができる。
（３）請求項３記載の発明は、前記帳票照合・罫線除去部の出力である雛形帳票罫線除去画像の各選択項目欄の、上書きマーク領域における縦、及び横の最大線密度を算出し、線密度が閾値以上の場合はチェック型印字有型、閾値以下の場合にはチェック型印字無型、又は塗り潰し型の選択項目欄とすることを特徴とする。
【００１１】
このように構成すれば、選択項目欄タイプの内のチェック型印字有型、チェック型印字無型又は塗り潰し型の選択項目欄を判定することができる。
（４）請求項４記載の発明は、選択項目欄がチェック型印字無型、又は塗り潰し型と判定された場合には、上書きマーク記入帳票画像の罫線除去画像の対応領域を上書きマーク判定用画像としてそのまま出力し、選択項目欄がチェック型印字有型又は塗り潰し型と判定された場合には、雛形帳票罫線除去画像と上書きマーク記入帳票罫線除去画像の重ね合わせによって上書きマーク記入画像の罫線除去画像から、プレプリント文字の削除処理を行ない、その結果、得られた画像を上書きマーク判定用画像として出力する上書きマーク判定用画像作成部を有することを特徴とする。
【００１２】
このように構成すれば、上書きマーク判定用画像作成部により、上書きマーク判定用の画像を得ることができる。
（５）請求項５記載の発明は、前記チェック型及び塗り潰し型の選択項目欄に対しては、上書きマーク判定用画像の黒画素密度が閾値以上の場合には上書きマーク有りと判定し、点線なぞり型に対してはマーク記入領域の中心部をマスクした残りの部分の、雛形帳票画像に対する上書きマーク判定用画像のオイラー数の変化が閾値以下の場合には、上書きマーク有りと判定する上書きマーク判定部を有することを特徴とする。
【００１３】
このように構成すれば、それぞれの項目欄に対して、上書きマーク有りを容易に判定することができる。
またこの発明において、前記選択項目欄が点線なぞり型であると判定された場合には、上書きマーク記入帳票画像の対象領域の画像をそのまま上書きマーク判定用画像として出力する上書きマーク判定用画像作成部を有することを特徴とする。
【００１４】
このように構成すれば、選択項目欄が点線なぞり型であると判定された場合に、その画像をそのまま上書きマーク判定用画像として用いることができる。
【００１５】
【発明の実施の形態】
以下、図面を参照して本発明の実施の形態例を詳細に説明する。
先ず、図１の構成を更に詳しく説明する。図１において、画像入力部１において、スキャナ等によって帳票が取り込まれ、電子データ化されて更に白黒の２値に変換される。雛形帳票登録部２では、予め雛形帳票が画像入力部１によって取り込まれており、ユーザが雛形帳票画像上で、上書きマーク領域の定義等を行なう。
【００１６】
帳票照合・罫線除去部３では、雛形帳票登録部２に登録されている雛形帳票画像と上書きマーク記入画像の領域のマッチングを行なう。そして、更に既存の罫線除去方法を用いて一定長以上の実線、破線が除去され、雛形帳票画像と上書きマーク記入画像の罫線除去画像をそれぞれ作成する。
【００１７】
選択項目欄タイプ判定部４では、雛形帳票画像の選択項目欄における上書きマーク記入領域の中心部分をマスクして周辺部分のオイラー数を計算し、選択項目欄が点線なぞり型であるか否かを判定する。更に、点線なぞり型でないと判定された場合は、雛形帳票画像の罫線除去画像の線密度を計算し、最大線密度が閾値以上のものをチェック型印字有型、閾値より小さいものをチェック型印字無型、或いは塗り潰し型と判定する。
【００１８】
上書きマーク判定用画像作成部５では、選択項目欄がチェック型印字無型、又は塗り潰し型と判定された場合は、上書きマーク記入帳票画像の罫線除去画像の対応領域を上書きマーク判定用画像としてそのまま出力する。選択項目欄がチェック型印字有型又は塗り潰し型と判定された場合は、雛形帳票罫線除去画像と上書きマーク記入帳票罫線除去画像の重ね合わせにより上書きマーク記入画像の罫線除去画像から、プレプリント文字の削除処理を行ない、その結果得られた画像を上書きマーク判定用画像として出力する。
【００１９】
また、選択項目欄が点線なぞり型と判定された場合は、上書きマーク記入帳票画像の対象領域の画像をそのまま上書きマーク判定用画像として出力する。
上書きマーク判定部６では、チェック型、及び塗り潰し型の選択項目に対しては、上書きマーク判定用画像の黒画素密度が閾値以上の場合を上書きマーク有りと判定する。選択項目欄が点線なぞり型である場合には、マーク記入領域の中心部をマスクした残りの部分の雛形帳票画像に対する上書きマーク判定用画像のオイラー数の変化が閾値以下の場合には上書きマーク有りと判定する。
【００２０】
先ず、点線なぞり型の判定について説明する。この点線なぞり型の判定は、帳票照合・罫線除去部３で罫線が除去された画像に対して行なわれる。上書きマーク記入域の中心部をマスクし、周辺の部分のオイラー数を計算することで、点線なぞり型か否かを判定する。図２は点線なぞり型の判定の説明図である。図において、１０、１１は雛形帳票画面の選択項目欄である。１０は点線なぞり型、１１はチェック型印字有型の選択項目欄である。この場合において、上書きマーク記入領域の中心部をマスクする。図の１０ａ、１１ａがマスクである。
【００２１】
選択項目欄１０に対して、上書きマーク記入領域（高さＨ、幅Ｗ）に対して、中心部の高さｈ、幅ｗの領域をマスクする。ここで、ｈ＜Ｈ，ｗ＜Ｗである。ｈとｗの値は帳票に応じて最適の値に設定する。
【００２２】
次に、マスクした残りの領域のオイラー数を計算する。オイラー数Ｅは、連結成分数をＮ、ループの数をＬとすると、次式で表される。
Ｅ＝Ｎ−Ｌ
オイラー数の閾値をＥｔｈとした時、
Ｅ＞Ｅｔｈ　　点線なぞり型
Ｅ≦Ｅｔｈ　　その他
であると判定する。
【００２３】
図２の１０に示す選択項目欄の場合のオイラー数を計算する。連結成分数は２３、ループＬは０であるので、オイラー数Ｅ＝２３−０＝２３となる。一方、１１に示す選択項目欄１１の場合連結成分数は１、ループも１であるので、オイラー数はＥ＝１−１＝０となる。ここで、閾値を例えば４と決めるものとすると、選択項目欄１０の場合のオイラー数Ｅは２３であり、Ｅ＞４となるので、点線なぞり型であると判定することができる。一方、選択項目欄１１の場合のオイラー数Ｅは０であり、Ｅ≦４となるので、点線なぞり型ではない（その他）ことになる。図２に示す場合は、チェック型印字有型となる。
【００２４】
次に、印字の有無の判定について説明する。雛形帳票画像から罫線を除去した、罫線除去画像の選択項目欄を図３に示すように、水平及び垂直にスキャンして、線密度（ストロークとの交差数）を求める。その最大値をＣｍａｘとし、閾値をＣｔｈとした時、
Ｃｍａｘ＞Ｃｔｈ　　印字有型
Ｃｍａｘ≦Ｃｔｈ　　印字無型
と判定する。図３に示す実施例の場合、（ａ）はＣｍａｘが５であり（（ｃ）参照）、（ｂ）はＣｍａｘが０である。ここで、閾値Ｃｔｈを２とすると、（ａ）の場合には、（ｃ）に示すように線密度Ｃｍａｘは５であり、閾値２より大きいので、印字有型となる。これに対して、（ｂ）はＣｍａｘが０であり、閾値２より小さいので、印字無型と判定することができる。このようにすれば、選択項目欄タイプの内のチェック型印字有型、又はチェック型印字無型又は塗り潰し型の選択項目を判定することができる。
【００２５】
図４は選択項目欄タイプ判定部４の処理を示すフローチャートである。該選択項目欄タイプ判定部４には、帳票照合・罫線除去部３からの画像が送られ、この送られてきた画像に対して選択項目欄タイプの判定が行なわれる。
【００２６】
先ず、雛形帳票画像のマーク記入領域の中心部をマスクする（Ｓ１）。そして、雛形帳票画像のマーク記入領域周辺部のオイラー数を計算する（Ｓ２）。次に、計算されたオイラー数が所定の閾値よりも大きいか否かを判定する（Ｓ３）。オイラー数が所定の閾値よりも大きかった場合には、図２にて説明したように、この場合の雛形帳票は点線なぞり型であると判定する（Ｓ４）。
【００２７】
オイラー数が所定の閾値よりも小さい場合には、雛型帳票は点線なぞり型以外の雛形帳票であるということになる。次に、選択項目欄タイプ判定部４は、雛形帳票画像の罫線除去画像のマーク記入領域の線密度を計算する（Ｓ５）。線密度の算出方法については、図３で説明した通りである。
【００２８】
次に、計算した最大線密度が所定の閾値よりも大きいか否かを判定する（Ｓ６）。最大線密度が所定の閾値よりも大きい場合には、雛形帳票項目欄に印字があると判定し、チェック型印字有型と判定する（Ｓ７）。最大線密度が所定の閾値よりも小さい場合、チェック型印字無型、或いは塗り潰し型と判定する（Ｓ８）。
【００２９】
このように、本発明によれば、選択項目欄タイプの内の点線なぞり型の選択項目を判定することができる。
また、選択項目欄タイプの内のチェック型印字有型、又はチェック型印字無型或いは塗り潰し型の選択項目欄を判定することができる。
【００３０】
次に、上書きマーク判定用画像の作成について説明する。上書きマーク判定用画像の作成は、上書きマーク判定用画像作成部５が行なう。
図４で選択項目欄がチェック型印字無型、又は塗り潰し型と判定された場合、上書きマーク記入帳票画像の罫線除去画像の対応領域を上書きマーク判定用画像としてそのまま出力する。また、選択項目欄がチェック型印字有型、又は塗り潰し型と判定された場合は、雛形帳票罫線除去画像と上書きマーク記入帳票罫線除去画像の重ね合わせによって上書きマーク記入画像の罫線除去画像から、プレプリント文字の削除処理を行ない、その結果、得られた画像を上書きマーク判定用画像として出力する。
【００３１】
図５は上書きマーク判定用画像作成部５の処理を示すフローチャートである。先ず、選択項目タイプが点線なぞり型であるかどうか判定する（Ｓ１）。選択項目タイプが点線なぞり型であるか否かの判定処理については、上述した通りである。選択項目タイプが点線なぞり型である場合には、上書きマーク記入画像のマーク記入欄をそのまま出力する（Ｓ２）。
【００３２】
ステップＳ１において、選択項目欄タイプが点線なぞり型でない場合には、選択項目欄タイプがチェック型印字有型であるかどうかを判定する（Ｓ３）。選択項目欄タイプがチェック型印字有型である場合には、上書きマーク記入画像の罫線除去画像のマーク記入欄からプレプリント文字を除去したものを出力する（Ｓ４）。
【００３３】
ステップＳ３において、選択項目欄タイプがチェック型印字有型でなかった場合、上書きマーク記入画像の罫線除去画像のマーク記入欄を出力する（Ｓ５）。
このようにすれば、選択項目欄が点線なぞり型であると判定された場合に、その画像をそのまま上書きマーク判定用画像として用いることができる。また、上書きマーク判定用画像作成部５により、上書きマーク判定用の画像を得ることができる。
【００３４】
図６は従来法と本発明方法による上書きマーク判定用画像作成までの比較処理の説明図である。（ａ）は従来法の説明図である。原画に対して、全てマーク領域の画素数に占める上書きパターンの黒画素数の割合で上書きマークの有無を判断するようにしたものである。この従来法の場合、点線なぞり型が正確に上書きパターンを抽出していないことが分かる。
【００３５】
（ｂ）が本発明の場合である。本発明では、先ず原画から選択項目タイプの判定を行なうシーケンスが入る。このシーケンスで、チェック型印字無型、チェック型印字有型、塗り潰し型、点線なぞり型の４種類に分類する。この内、チェック型印字無型の場合には、罫線を除去したものを上書きマーク判定用画像としている。
【００３６】
チェック型印字有型の場合、罫線を除去し、次に、プレプリント文字を除去したものを上書きマーク判定用画像として用いる。塗り潰し型の場合、上書きマークの罫線除去画像を上書きマーク判定用画像として用いる。点線なぞり型の場合、原画像をそのまま上書きマーク判定用画像として用いる。
【００３７】
次に、上書きマーク有無判定動作について説明する。チェック型印字無型、塗り潰し型に関しては、上書きマーク記入画像の罫線除去画像の、上書きマーク領域の黒画素密度ｄが閾値Δｔｈ以上なら、上書きマーク有りと判定する。即ち、
ｄ＞Δｔｈ　上書きマーク有り
ｄ≦Δｔｈ　上書きマーク無し
とする。
【００３８】
チェック型印字有型に関しては、上書きマーク記入画像の罫線除去、プレプリント文字除去画像の、上書きマーク領域の黒画素密度ｄが閾値Δｔｈ以上ならば、上書きマーク有りと判定する。即ち、
ｄ＞Δｔｈ　上書きマーク有り
ｄ≦Δｔｈ　上書きマーク無し
とする。
【００３９】
点線なぞり型に関しては、上書きマーク記入画像の、中心部をマスクした上書きマーク記入領域のオイラー数Ｅｒから、雛形帳票画像の、中心部をマスクした上書きマーク記入領域のオイラー数Ｅｆを引いた値が閾値Δｔｈより小さいなら上書きマーク有り、そうでないなら、上書きマーク無しと判定する。即ち、
Ｅｒ−Ｅｆ＜Δｔｈ　上書きマーク有り
Ｅｒ−Ｅｆ≧Δｔｈ　上書きマーク無し
とする。
【００４０】
図７は上書きマーク判定部６の処理を示すフローチャートである。先ず、選択項目欄タイプが点線なぞり型であるかどうか判定する（Ｓ１）。点線なぞり型であった場合、マーク記入領域のオイラー数の差が閾値以下であるかどうか判定する（Ｓ２）。
【００４１】
マーク記入領域のオイラー数の差が閾値以下の場合、上書き記入マーク有りと判定する（Ｓ３）。マーク記入領域のオイラー数の差が閾値以上の場合、上書きマーク記入無しと判定する（Ｓ４）。
【００４２】
次に、ステップＳ１において、選択項目欄タイプが点線なぞり型でない場合、マーク記入領域の黒画素密度が閾値以上であるかどうか判定する（Ｓ５）。黒画素密度が閾値以上である場合には、上書きマーク記入ありと判定する（Ｓ７）。黒画素密度が閾値以上でない場合には、上書きマーク無しと判定する（Ｓ６）。
【００４３】
このようにすれば、それぞれの項目欄に対して、上書きマーク有りを容易に判定することができる。
（付記１）アンケートや各種申込み帳票にある選択項目欄に記入された上書きマークの有無を自動的に判定する上書きマーク認識装置において、
雛形帳票画像の各選択項目欄の情報を登録する雛形帳票登録部と、
該雛形帳票登録部の出力を受けて、雛形帳票画像と上書きマーク記入帳票画像のマッチングを行ない、罫線除去画像を作成する帳票照合・罫線除去部と、
該帳票照合・罫線除去部の出力を受けて各選択項目欄のタイプの判定を行なう選択項目欄タイプ判定部と、
該選択項目欄タイプ判定部の出力を受けて、判定されたタイプに適した処理を選択して上書きマーク有無判定用画像を作成する上書きマーク判定用画像作成部と、
該上書きマーク判定用画像作成部で作成された画像を使用し、かつ、判定されたタイプに適した方法で上書きマークの有無を判定する上書きマーク判定部と、を有することを特徴とする上書きマーク認識装置。
【００４４】
（付記２）前記雛形帳票画像の各選択項目欄の、上書きマーク領域内の中心部分をマスクして、周辺部分のオイラー数を計算し、オイラー数が閾値以上の場合は、点線なぞり型の選択項目欄と判定することを特徴とする付記１記載の上書きマーク認識装置。
【００４５】
（付記３）前記帳票照合・罫線除去部の出力である雛形帳票罫線除去画像の各選択項目欄の、上書きマーク領域における縦、及び横の最大線密度を算出し、線密度が閾値以上の場合はチェック型印字有型、閾値以下の場合にはチェック型印字無型、又は塗り潰し型の選択項目欄とすることを特徴とする付記１記載の上書きマーク認識装置。
【００４６】
（付記４）選択項目欄がチェック型印字無型、又は塗り潰し型と判定された場合には、上書きマーク記入帳票画像の罫線除去画像の対応領域を上書きマーク判定用画像としてそのまま出力し、選択項目欄がチェック型印字有型又は塗り潰し型と判定された場合には、雛形帳票罫線除去画像と上書きマーク記入帳票罫線除去画像の重ね合わせによって上書きマーク記入画像の罫線除去画像から、プレプリント文字の削除処理を行ない、その結果、得られた画像を上書きマーク判定用画像として出力する上書きマーク判定用画像作成部を有することを特徴とする付記１記載の上書きマーク認識装置。
【００４７】
（付記５）前記選択項目欄が点線なぞり型であると判定された場合には、上書きマーク記入帳票画像の対象領域の画像をそのまま上書きマーク判定用画像として出力する上書きマーク判定用画像作成部を有することを特徴とする付記４記載の上書きマーク認識装置。
【００４８】
（付記６）前記チェック型及び塗り潰し型の選択項目欄に対しては、上書きマーク判定用画像の黒画素密度が閾値以上の場合には上書きマーク有りと判定し、点線なぞり型に対してはマーク記入領域の中心部をマスクした残りの部分の、雛形帳票画像に対する上書きマーク判定用画像のオイラー数の変化が閾値以下の場合には、上書きマーク有りと判定する上書きマーク判定部を有することを特徴とする付記１記載の上書きマーク認識装置。
【００４９】
【発明の効果】
以上説明したように、本発明によれば、以下の効果が得られる。
（１）請求項１記載の発明によれば、選択項目欄タイプ判定部で選択項目欄タイプを判定し、判定した選択項目欄タイプに応じた処理により上書きマーク判定用画像作成部により上書きマーク有無判定用画像を作成し、当該画像に対して上書きマーク判定部により上書きマークの判定を行なうことにより、上書きマークの有無を精度よく判定することができる。
（２）請求項２記載の発明によれば、選択項目欄タイプの内の点線なぞり型の選択項目を判定することができる。
（３）請求項３記載の発明によれば、選択項目欄タイプの内のチェック型印字有型、チェック型印字無型又は塗り潰し型の選択項目を判定することができる。
（４）請求項４記載の発明によれば、上書きマーク判定用画像作成部により、上書きマーク判定用の画像を得ることができる。
（５）請求項５記載の発明によれば、それぞれの項目欄に対して、上書きマーク有りを容易に判定することができる。
【００５０】
このように、本発明によれば、上書きマークの有無を精度よく判定することができる上書きマーク認識装置を提供することができる。
【図面の簡単な説明】
【図１】本発明の原理ブロック図である。
【図２】点線なぞり型の判定の説明図である。
【図３】最大線密度による印字有型の判定の説明図である。
【図４】選択項目欄タイプ判定部の処理を示すフローチャートである。
【図５】上書きマーク判定用画像作成部の処理を示すフローチャートである。
【図６】従来法と本発明方法による上書きマーク判定用画像作成までの比較処理の説明図である。
【図７】上書きマーク判定部の処理を示すフローチャートである。
【図８】選択項目欄タイプ分類を示す図である。
【図９】各画像例を示す図である。
【符号の説明】
１　画像入力部
２　雛形帳票登録部
３　帳票照合・罫線除去部
４　選択項目欄タイプ判定部
５　上書きマーク判定用画像作成部
６　上書きマーク判定部
【図１】
2004078391.tif 000003
【図２】
2004078391.tif 000004
【図３】
2004078391.tif 000005
【図４】
2004078391.tif 000006
【図５】
2004078391.tif 000007
【図６】
2004078391.tif 000008
【図７】
2004078391.tif 000009
【図８】
2004078391.tif 000010
【図９】
2004078391.tif 000011